(57)【特許請求の範囲】
【請求項１】
筒状の筆記具本体の側面に設けられたノック部の押下動作及び復帰動作の反復により、前記筆記具本体の下端部から芯を出し入れする筆記具において、
頭部の一部が一体に構成された胴部と前記胴部によって軸を介して回転可能に支持された頭部とを有し、前記胴部が前記筆記具本体の上端部の第１揺動中心を基準に揺動可能に支持されて、前記胴部及び前記頭部が起立姿勢と前傾姿勢とを取り得るキャラクタと、
前記ノック部と前記キャラクタとの間に介装されて、前記ノック部の動作に前記キャラクタの動作を連動させる連動機構と、を備え、
前記連動機構は、
下端部が、前記筆記具本体の上端部における前記第１揺動中心の後方に設けられた第２揺動中心を基準に揺動可能に支持され、上端部が、前記胴部及び前記頭部の内側を通って前記頭部に前記軸よりも後方の他の軸を介して揺動可能に連結された揺動アームと、
前記筆記具本体の上端部の内側に昇降可能に配置されるとともに下端部が前記ノック部に連結されて上端部が前記揺動アームに揺動可能に連結された昇降ロッドと、を有し、
前記第１揺動中心と前記第２揺動中心と前記他の軸と前記軸との間に、前記第１揺動中心と前記第２揺動中心とを固定とする略平行四辺形状の４節リンクを構成し、
前記ノック部の押下動作に伴う前記昇降ロッドの下降により前記胴部及び前記頭部を前傾させて前記キャラクタにお辞儀をさせつつ、前記胴部に対して前記頭部を一方向に相対回転させ、前記頭部に対して前記頭部の一部を相対回転させて、前記キャラクタの表情を変更し、また、前記ノック部の復帰動作に伴って前記胴部及び前記頭部を起立させつつ、前記胴部に対して前記頭部を他方向に相対回転させて前記キャラクタの表情を元に戻す、
ことを特徴とする筆記具。
【請求項２】
前記ノック部と前記昇降ロッドとの間に、前記ノック部の押下動作を遅らせて前記昇降ロッドに伝達する遅延部材が介装されており、
前記遅延部材は、上端部の内側に凸条を有し、
前記昇降ロッドは、下端に、前記遅延部材の内側に上方から挿入されて前記凸条の下方に前記凸条から距離を隔てて配置されて前記遅延部材の下降によって前記凸条に係合される大径部を有する、
ことを特徴とする請求項１に記載の筆記具。
【請求項３】
前記キャラクタは、前記頭部の一部として、前記胴部と一体に構成された口部を有し、
前記口部は、前記頭部の前記一方向への相対回転により開放され、前記頭部の他方向への相対回転により閉鎖される、
ことを特徴とする請求項１又は２に記載の筆記具。
【請求項４】
前記キャラクタは、前記頭部の一部として、前記胴部と一体に構成された耳部を有し、
前記耳部は、前記頭部の前記一方向への相対回転により前記頭部に対して回転され、前記頭部の前記他方向への相対回転により復帰される、
ことを特徴とする請求項１又は２に記載の筆記具。
【請求項５】
前記キャラクタは、前記頭部における目に対応する部位に透孔を有し、
前記胴部は、前記頭部の一部として、図柄の異なる２つの目部を有し、前記頭部の前記一方向への相対回転により前記透孔から一方の目部の視認を可能とし、前記回転部の前記他方向への相対回転により前記透孔から他方の目部の視認を可能とする、
ことを特徴とする請求項１又は２に記載の筆記具。
【発明の詳細な説明】
【技術分野】
【０００１】
本発明は、ノック部のノック動作に対応して、芯の出し入りを行うサイドノック式の筆記具に関する。
【背景技術】
【０００２】
サイドノック式の筆記具において、ノック部（操作レバー）の押下動作に連動して、キャラクタを模した形象物が回転するように構成した筆記具が知られている（例えば、特許文献１参照）。
【０００３】
このものは、筆記具本体の内部に長尺の回転軸が配置されていて、この回転軸における筆記具本体の基端部から突出する部分にキャラクタが取り付けられている。操作レバーには、内周面に螺旋溝が形成されたスライド部材が係合されていて、この螺旋溝には、回転軸から突出された凸部が螺合している。操作レバーを押し下げると、芯が出るとともに、スライド部材が押し下げられ、その螺旋溝に凸部が螺合されている回転軸が回転する。この回転軸の回転に伴って、キャラクタが回転するようになっている。
【先行技術文献】
【特許文献】
【０００４】
【特許文献１】特開２００３−１９３６７号公報
【発明の概要】
【発明が解決しようとする課題】
【０００５】
しかしながら、特許文献１によると、操作レバーの押下動作に連動して、キャラクタが回転するものの、キャラクタ自体の形状が変化したり、姿勢が変化したりするものではないので、意外性や面白みに欠けるという問題があった。
【０００６】
そこで、本発明は、ノック部（操作レバー）の動きに連動して、キャラクタの姿勢及び表情を変化させることで、意外性や面白みを増すようにしたサイドノック式の筆記具を提供することを目的とするものである。
【課題を解決するための手段】
【０００７】
請求項１に係る発明は、筒状の筆記具本体の側面に設けられたノック部の押下動作及び復帰動作の反復により、前記筆記具本体の下端部から芯を出し入れする筆記具において、頭部の一部が一体に構成された胴部と前記胴部によって軸を介して回転可能に支持された頭部とを有し、前記胴部が前記筆記具本体の上端部の第１揺動中心を基準に揺動可能に支持されて、前記胴部及び前記頭部が起立姿勢と前傾姿勢とを取り得るキャラクタと、
前記ノック部と前記キャラクタとの間に介装されて、前記ノック部の動作に前記キャラクタの動作を連動させる連動機構と、を備え、前記連動機構は、下端部が、前記筆記具本体の上端部における前記第１揺動中心の後方に設けられた第２揺動中心を基準に揺動可能に支持され、上端部が、前記胴部及び前記頭部の内側を通って前記頭部に前記軸よりも後方の他の軸を介して揺動可能に連結された揺動アームと、前記筆記具本体の上端部の内側に昇降可能に配置されるとともに下端部が前記ノック部に連結されて上端部が前記揺動アームに揺動可能に連結された昇降ロッドと、を有し、前記第１揺動中心と前記第２揺動中心と前記他の軸と前記軸との間に、前記第１揺動中心と前記第２揺動中心とを固定とする略平行四辺形状の４節リンクを構成し、前記ノック部の押下動作に伴う前記昇降ロッドの下降により前記胴部及び前記頭部を前傾させて前記キャラクタにお辞儀をさせつつ、前記胴部に対して前記頭部を一方向に相対回転させ、前記頭部に対して前記頭部の一部を相対回転させて、前記キャラクタの表情を変更し、また、前記ノック部の復帰動作に伴って前記胴部及び前記頭部を起立させつつ、前記胴部に対して前記頭部を他方向に相対回転させて前記キャラクタの表情を元に戻す、ことを特徴とする。
【０００９】
請求項２に係る発明は、請求項１に係る筆記具において、前記ノック部と前記昇降ロッドとの間に、前記ノック部の押下動作を遅らせて前記昇降ロッドに伝達する遅延部材が介装されており、前記遅延部材は、上端部の内側に凸条を有し、前記昇降ロッドは、下端に、前記遅延部材の内側に上方から挿入されて前記凸条の下方に前記凸条から距離を隔てて配置されて前記遅延部材の下降によって前記凸条に係合される大径部を有する、ことを特徴とする。
【００１１】
請求項３に係る発明は、請求項１又は２に係る筆記具において、前記キャラクタは、前記頭部の一部として、前記胴部と一体に構成された口部を有し、前記口部は、前記頭部の前記一方向への相対回転により開放され、前記頭部の他方向への相対回転により閉鎖される、ことを特徴とする。
【００１２】
請求項４に係る発明は、請求項１又は２に記載の筆記具において、前記キャラクタは、前記頭部の一部として、前記胴部と一体に構成された耳部を有し、
前記耳部は、前記頭部の前記一方向への相対回転により前記頭部に対して回転され、前記頭部の前記他方向への相対回転により復帰される、ことを特徴とする。
【００１３】
請求項５に係る発明は、請求項１又は２に記載の筆記具において、前記頭部における目に対応する部位に透孔を有し、前記胴部は、前記頭部の一部として、図柄の異なる２つの目部を有し、前記頭部の前記一方向への相対回転により前記透孔から一方の目部の視認を可能とし、前記回転部の前記他方向への相対回転により前記透孔から他方の目部の視認を可能とする、ことを特徴とする。
【発明の効果】
【００１４】
請求項１の発明によれば、キャラクタは、連動機構により、ノック部の押下動作に対応してお辞儀をしつつ頭部の表情を変化させ、また、ノック部の復帰動作に対応して起立姿勢に戻って頭部の表情を元に戻す。すなわち、キャラクタは、ノック部の動きに連動して、姿勢及び表情を変化させるので、意外性や面白みのある筆記具を構成することができる。また、連動機構は、昇降ロッドと揺動アームとを有する簡単な構成で、ノック部の押下動作、復帰動作に連動させて、キャラクタにお辞儀をさせたり、キャラクタの表情を変化させたりすることができる。
【００１６】
請求項２の発明によれば、遅延部材により、ノック部の押下動作を遅らせて昇降ロッドに伝達するので、ノック部を押下する使用者にとっては、キャラクタが突然、お辞儀をして表情を変えるように見えるため、意外性を増すことになる。
【００１８】
請求項３の発明によれば、キャラクタは、ノック部の押下動作に対応して、お辞儀をするとともに、口部を開く。
【００１９】
請求項４の発明によれば、キャラクタは、ノック部の押下動作に対応して、お辞儀をするとともに、耳部を回転させる。
【００２０】
請求項５の発明によれば、キャラクタは、ノック部の押下動作に対応して、お辞儀をするとともに、目部の表情を変化させる。
【図面の簡単な説明】
【００２１】
【図１】キャラクタ２０が直立姿勢Ｐ１をとった状態の筆記具１を示す図であり、（Ａ）は正面図、（Ｂ）は右側面図、（Ｃ）は背面図である。
【図２】（Ａ），（Ｂ）はそれぞれキャラクタ２０が起立姿勢Ｐ１，前傾姿勢Ｐ２をとった状態の筆記具１の斜視図である。
【図３】（Ａ）はキャラクタ２０が起立姿勢Ｐ１をとった状態の図１（Ａ）中のIII−III線矢視図であり、（Ｂ）はキャラクタ２０が傾斜姿勢Ｐ２をとった状態の図１（Ａ）中のIII−III線矢視図である。
【図４】キャラクタ２０の分解斜視図である。
【図５】起立姿勢Ｐ１のキャラクタ４０を示す図であり、（Ａ）は正面図、（Ｂ）は右側面図、（Ｃ）は平面図である。
【図６】前傾姿勢Ｐ２のキャラクタ４０を示す図であり、（Ａ）は正面図、（Ｂ）は右側面図、（Ｃ）は平面図である。
【図７】（Ａ）は起立姿勢Ｐ１のキャラクタ４０の斜視図、（Ｂ）は前傾姿勢Ｐ２のキャラクタ４０の斜視図である。
【図８】キャラクタ４０の分解斜視図である。
【図９】起立姿勢Ｐ１のキャラクタ５０を示す図であり、（Ａ）は正面図、（Ｂ）は右側面図、（Ｃ）は平面図である。
【図１０】前傾姿勢Ｐ２のキャラクタ５０を示す図であり、（Ａ）は正面図、（Ｂ）は右側面図、（Ｃ）は平面図である。
【図１１】（Ａ）は起立姿勢Ｐ１のキャラクタ５０の斜視図、（Ｂ）は前傾姿勢Ｐ２のキャラクタ５０の斜視図である。
【図１２】キャラクタ５０の分解斜視図である。
【発明を実施するための形態】
【００２２】
以下、本発明の実施形態を図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２３】
図１〜図４を参照して、本発明を適用した実施形態１に係る筆記具１について説明する。このうち、図１（Ａ），（Ｂ），（Ｃ）はキャラクタ２０が直立姿勢Ｐ１をとった状態の筆記具１を示す図であり、（Ａ）は正面図、（Ｂ）は右側面図、（Ｃ）は背面図である。図２（Ａ），（Ｂ）はそれぞれキャラクタ２０が起立姿勢Ｐ１，前傾姿勢Ｐ２をとった状態の筆記具１の斜視図である。図３（Ａ）はキャラクタ２０が起立姿勢Ｐ１をとった状態の図１（Ａ）中のIII−III線矢視図であり、（Ｂ）はキャラクタ２０が傾斜姿勢Ｐ２をとった状態の図１（Ａ）中のIII−III線矢視図である。図４は、キャラクタ２０の分解斜視図である。なお、以下の説明では、図１〜図４における上側を、筆記具１の上側（上端側、上端部）、また、図１〜図４における下側を、筆記具１の下側（下端側、下端部）として説明する。
【００２４】
まず、図２を参照して、筆記具１全体の概略について説明する。筆記具１は、筆記具本体１０と、この筆記具本体１０の上端部に前傾可能に設けられたキャラクタ２０と、これら筆記具本体１０とキャラクタ２０とを連結して連動させる連動機構３０（図３参照）と、を備えて構成されている。筆記具１は、連動機構３０により、筆記具本体１０のノック部１３の押下動作に伴ってキャラクタ２０が起立姿勢Ｐ１からお辞儀をしつつ表情を変更して前傾姿勢（前傾位置）Ｐ２をとり、また、ノック部１３の復帰動作に伴ってキャラクタ２０が前傾姿勢Ｐ２から起立姿勢Ｐ１に戻りつつ表情を元に戻す。ここで、本実施形態の筆記具１においては、キャラクタ２０は、口部２１ｇを開け閉めすることにより、表情を変更する。なお、後述する実施形態２の筆記具２では、お辞儀をしつつ耳部４１ｉを傾斜させることにより、表情を変更し、また、実施形態３の筆記具３では、お辞儀をしつつ目部５１ｊ，５１ｋの図柄を変更することにより、表情を変更している。
【００２５】
次に、図１〜図４を参照して、筆記具１について詳述する。
筆記具１は、筆記具本体１０と、キャラクタ２０と、連動機構３０とを備えて構成されている。
筆記具本体１０は、図３に示すように、上下に延びる筒状の外筒１１と、外筒１１の内側に収納されて筆記に供される芯１２と、芯１２を出し入れするために使用者が指で操作するノック部（操作レバー）１３と、ノック部１３の動作に連動して芯１２を出し入れする回転芯出し機構１４と、を有している。
【００２６】
外筒１１は、軸心Ｃ（図３参照）に沿って上下方向に延びる円筒状に形成されており、下端（先端）には下キャップ１５が螺合されている。下キャップ１５の中心には、芯１２の下端側がスライド可能な透孔１５ａが形成されていて、芯 １２は、その下端を、この透孔１５ａの下端から出入りさせる。また、芯１２の下端側には凸部１２ａが形成されていて、芯１２は、この凸部１２ａと下キャップ１５との間に介装された圧縮ばね１７によって上方に付勢されている。芯１２の上端には、後述する回転芯出し機構１４の回転体１４ｂが係合されている。
【００２７】
外筒１１の上端（基端）には、略筒状の上キャップ１６が取り付けられて筆記具本体１０の上端部１０ａを構成している。上キャップ１６は、図４に示すように、下半部が略円筒状に形成されて外筒１１の上端部の内周に嵌合されるとともに、上半部が略四角筒状に形成されて、後述するキャラクタ２０の一部である脚部２３を構成している。上キャップ１６の上端側における外周面の前後方向の略中央には、円柱状の軸（第１揺動中心）１６ａが左右に向けて突設されている。この軸１６ａは、後述するキャラクタの胴部２１の揺動中心となる。また、上キャップ１６の上端側における後部には、切欠部１６ｂが設けられていて、この切欠部１６ｂには、左右方向に向けてピン（第２揺動中心）１６ｃが設けられている。このピン１６ｃは、後述する連動機構３０の揺動アーム３２の揺動中心となる。上述の第１揺動中心を構成する軸１６ａと、第２揺動中心を構成するピン１６ｃとは、上下方向の位置（下キャップ１５の先端からの距離）は、略同じで、前後方向の位置が少しずれて、ピン１６ｃが軸１６ａの後方に位置するように設定されている。また、軸１６ａとピン１６ｃの位置は、上キャップ１６に対して、ひいては筆記具本体１０に対して不動である。
【００２８】
ノック部（操作レバー）１３は、外筒１１の上端側の側面に設けられている。図３に示すように、外筒１１の上端側の側面には、上下方向に長いガイド孔１１ａが穿設されている。ノック部１３は、衣類のポケット等に引っ掛ける際に使用されるクリップを兼用していて、上端の裏面側（後側）から後方に延びる連結部１３ａがガイド孔１１ａを貫通して、円筒状の移動ベース１８に固定されている。移動ベース１８は、次に説明する回転芯出し機構１４の昇降体１４ａとの間に配設された圧縮ばね１９によって上方に付勢されている。この付勢力により、移動ベース１８と一体のノック部１３は、上方に付勢されて図３（Ａ）等に示すホームポジションＰ３に配置される。また、ノック部１３は、使用者の指による押下動作によって、図３（Ｂ）に示す押下位置Ｐ４に移動される。なお、移動ベース１８の上端には、略円筒状の遅延部材３３が固定されているが、この遅延部材３３については後に説明する。
【００２９】
回転芯出し機構１４は、昇降体１４ａと、回転体１４ｂと、上述の外筒１１の内周面に形成されて昇降体１４ａの昇降動作をガイドするガイド溝１４ｃとを有している。ガイド溝１４ｄは、深い溝と浅い溝とが周方向に沿って交互に形成されている。なお、回転芯出し機構１４は、一般的なボールペン等に使用されている周知の機構であるのでその詳細についての説明は省略する。回転芯出し機構１４は、使用者の指によるノック部１３の押下動作に伴い、ノック部１３と一体の移動ベース１８が下降し、圧縮ばね１９が短縮されて昇降体１４ａが下降する。さらに、昇降体１４ａは、回転体１４ｂに回転力を付与しながら下降させるが、回転体１４ｂはガイド溝１４ｃにガイドされている間は回転しない。そして、回転体１４ｂは、ガイド溝１４ｃに沿って下降し、ガイド溝１４ｃの下端から外れると「カチッ」という音とともに回転し、芯１２を介して圧縮ばね１７により上方に付勢されてガイド溝１４ｃに引っかかる。これにより、芯１２は、下キャップ１５の透孔１５ａから下端（先端）を突出させる。その後、使用者がノック部１３から指を離すと芯１２は突出状態を維持し、また、ノック部１３はホームポジションＰ３に復帰する。回転芯出し機構１４は、同様に、使用者によるノック部１３の次の押下動作により、上述の回転体１４ｂが回転して深いガイド溝１４ｃに入り込むことで芯１２を引っ込めることができる。
【００３０】
キャラクタ２０は、図３，図４に示すように、胴部２１と、この胴部２１によって回転可能に支持された頭部２２とを有しており、さらに、上キャップ１６の上半部に形成された脚部２３を有している。脚部２３には、上述のように、第１揺動中心としての軸１６ａと、第２揺動中心としてのピン１６ｃとが設けられている。
【００３１】
胴部２１は、前胴部２１ａと後胴部２１ｂとを合わせ面２１ｃで組み合わせることで構成されている。前胴部２１ａの合わせ面２１ｃには後方に向かって係合凸部２１ｄが突設され、一方、後胴部２１ｂの合わせ面２１ｃには、前方に向かって係合凹部２１ｅが形成されており、係合凸部２１ｄを係合凹部２１ｅに嵌合させることで、胴部２１が構成されている。合わせ面２１ｃにおける係合凸部２１ｄ及び係合凹部２１ｅの下方には、軸受部２１ｆが形成されていて、上述の脚部２３の軸１６ａに係合されている。つまり、胴部２１は、軸１６ａにより、軸受部２１ｆを介して揺動自在に支持されている。前胴部２１ａには、頭部２２の一部を構成する口部２１ｇが設けてあり、また、上端には、左右方向に向けて、頭部２２を回転可能に支持する軸２１ｈが突設されている。なお、胴部２１の内側には、後述する連動機構３０の揺動アーム３２が配設される空間が上下方向に貫通されている。
【００３２】
頭部２２は、外形がそれぞれ略半球状の前頭部２２ａと後頭部２２ｂとを合わせ面２２ｃで組み合わせることで構成されている。図１（Ｃ）に示すように、後頭部２２ｂの上端側の２箇所に設けられたねじ孔２２ｄに、それぞれねじ２２ｅを通し、ねじ２２ｅの先端側を前頭部２２ａの雌ねじ部（不図示）に螺合させることにより、前頭部２２ａに後頭部２２ｂを固定している。前頭部２２ａと後頭部２２ｂの合わせ面２２ｃにおける左端側及び右端側には、それぞれ左右方向を向いた第１軸受孔（透孔）２２ｆが形成されていて、これら第１軸受孔２２ｆに、上述の胴部２１の軸２１ｈが係合されている。頭部２２は、この軸２１ｈによって回転自在に支持されている。頭部２２の内側における第１軸受孔２２ｆの少し後方の左端側と右端側とには、それぞれ第２軸受孔２２ｇ（オフセット部）が左右方向に向けて形成されており、この第２軸受孔２２ｇには、後に説明する揺動アーム３２の軸３２ｃが係合されている。また、前頭部２２ａの前面（正面）側には、２つの目部２２ｈが設けられ、さらに、目部２２ｈの下方には、上述の口部２１ｇによって開閉される開口部２２ｉが設けられている。
【００３３】
キャラクタ２０は、上述のように胴部２１が、脚部２３の軸１６ａによって揺動可能に支持されており、また、頭部２２が胴部２１の軸２１ｈによって回転可能に支持されている。そして、胴部２１及び頭部２２は、図２（Ａ），図３（Ａ）に示す起立姿勢Ｐ１と、図２（Ｂ），図３（Ｂ）に示す前傾姿勢Ｐ２との間を移動できるようになっている。この移動は、次に説明する連動機構３０によって行われる。
【００３４】
連動機構３０は、図３，図４に示すように、昇降ロッド３１と揺動アーム３２とを有している。昇降ロッド３１は、棒状に形成されていて、下端には、大径部３１ａを有し、上端には、軸３１ｂを有していて、上述の上キャップ１６の内側に昇降可能に配設されている。昇降ロッド３１は、図３に示す遅延部材３３を介して、上述の移動ベース１８に連結されている。遅延部材３３は、略円筒状に形成されていて、上端側には、縦方向のスリット３３ａが形成されるとともに、上端の内側には、略全周にわたって凸条３３ｂが形成されている。昇降ロッド３１は、その下端側の大径部３１ａを遅延部材３３の上方から凸条３３ｂの下方に位置するように挿入している。このため、昇降ロッド３１は、図３（Ａ）に示す遅延部材３３が、ノック部１３の押下動作に伴って移動ベース１８を介して下降を開始した際にもすぐには下降することなく、遅延部材３３が下降してその凸条３３ｂが大径部３１ａにかかると下降を開始する。つまり、昇降ロッド３１は、ノック部１３の押下動作に対して、遅延して下降を開始するようになっている。この昇降ロッド３１の下降開始のタイミングは、上述の回転芯出し機構１４の回転体１４ｂの回転動作に合わせて、つまり、回転体１４ｂが回転して「カチッ」という音をたてるタイミングに合わせるように設定されている。このタイミングは、後述するキャラクタ２０の前傾動作（お辞儀動作）に合わせている。昇降ロッド３１の上端の軸３１ｂは、揺動アーム３２に連結されている。
【００３５】
揺動アーム３２は、図４に示すように、略「Ｌ」字形に形成されていて、下端前部の透孔３２ａに昇降ロッド３１の軸３１ｂが係合され、下端後部の透孔３２ｂに上述の上キャップ１６のピン１６ｃが貫通され、上端部の軸３２ｃが上述の頭部２２の第２軸受孔２２ｇに係合されている。この揺動アーム３２は、昇降アーム３１の下降により、透孔３２ａを介して下端前部が引き下げられて、全体が下端後部のピン１６ｃを中心として揺動（前傾）し、上端部の軸３２ｃが略前方に移動する。これにより、キャラクタ２０の胴部２１及び頭部２２が上キャップ１６の軸１６ａを基準として前傾（お辞儀）して前傾姿勢Ｐ２をとるようになっている。このときのキャラクタ２０の動作は、４節リンク機構に基づいた動作となる。すなわち、キャラクタ２０は、例えば、右側面から見た状態において、胴部２１及び頭部２２が、上キャップ１６の軸（第１揺動中心）１６ａと、上キャップ１６のピン１６ｃと、揺動アーム３２の軸３２ｃと、前胴部２１ａの軸２１ｈとによって略平行四辺形状の４節リンクを構成し、前２者の軸１６ａとピン１６ｃとが略水平の不動（固定）リンクを構成する。このため、揺動アーム３２が前傾すると、軸３２ｃと軸２１ｈとの間に構成されるリンクは、略水平を維持したまま前方かつ下方に平行移動するようになる。このため、胴部２１及び頭部２２が前傾すると、頭部２２は前方を向いたまま略平行移動し、この頭部２２に対して胴部２１が軸２１ｈを基準として相対回転する。これに伴って、頭部２２に対して、胴部２１と一体の口部２１ｇが回転し、頭部２２の開口部２２ｉが開口される。つまり、外部からは口を開いたように見える。この口を開く動作は、上述の前傾動作と並行して行われるようになっている。
【００３６】
以上の筆記具１の全体の動作（作用）について説明する。
筆記具１の不使用状態、つまり、筆記具１が筆記に供されない状態においては、図２（Ａ），図３（Ａ）に示すように、ノック部１３はホームポジションＰ３に配置され、また、芯１２はその先端（下端）を引っ込めた状態で外筒１１内に収納され、さらに、キャラクタ２０は、胴部２１及び頭部２２を起立させた起立姿勢Ｐ１をとっている。
この状態から使用者の指によってノック部１３の押下動作が開始されると、ノック部１３の下降に伴って、回転芯出し機構１４の昇降体１４ａが下降し、回転体１４ｂが「カチッ」と音を立てて回転し、芯１２の先端（下端）が下キャップ１５の透孔１５ａから突出される。
【００３７】
また、この芯出し動作と並行して、キャラクタ２０がお辞儀をしつつ、口を開ける。ただし、芯１２がノック部１３の下降開始に伴って略同時に下降を開始するのに対して、キャラクタ２０は、ノック部１３と連動機構３０との間に遅延部材３３が介装されているために、ノック部１３の下降開始時にはお辞儀を開始せず、少しタイミングを遅らせてお辞儀をする。すなわち、ノック部１３が下降を開始すると、これと一体の移動ベース１８及び遅延部材３３が同時に下降を開始する。しかし、遅延部材３３が下降を開始しても、昇降ロッド３１は、すぐには下降を開始せず、遅延部材３３の下降が進行して遅延部材３３の凸条３３ｂが大径部３１ａにかかると初めて下降を開始する。そして、この昇降ロッド３１の下降により、揺動アーム３２が前傾し、これにより、キャラクタ２０の胴部２１及び頭部２２が前傾してお辞儀をする。さらに、このお辞儀と並行して、頭部２２に対して胴部２１の一部である口部２１ｇが回転して、頭部２２の開口部２２ｉを開口するため、外部からはキャラクタ２０が口を開けたように見える。ここで、遅延部材３３の凸条３３ｂによる昇降ロッド３１の下降は、ノック部１３の押下動作の終了直前、つまり、ノック部１３が押下位置Ｐ４に配置される直前に開始されるので、使用者にとっては、それまでノック部１３を下降させても何の変化もなかったキャラクタ２０が突然、お辞儀をしつつ口を開けて表情を変化させるように見える。このため、興趣を増す。さらに、キャラクタ２０のお辞儀動作及び口開け動作は、上述の回転芯出し機構１４の回転体１４ｂが「カチッ」と音を立てて回転する動作と略同じタイミングで行われる。このため、使用者にとっては、この音が、キャラクタ２０のお辞儀動作及び口開け動作に伴う音のようにも聞こえ、一層、興趣を増すことになる。さらには、キャラクタ２０が口を開けて、「カチッ」と叫んでいるようにも見える。
【００３８】
ノック部１３が押下位置Ｐ４に配置されるのに伴い、芯１２が出され、また、キャラクタ２０の胴部２１及び頭部２２が前傾姿勢Ｐ２をとる。その後、使用者がノック部１３から指を離すと、ノック部１３は、圧縮ばね１９によりホームポジションＰ３に戻され、略同時に、キャラクタ２０は、前傾姿勢Ｐ２から起立姿勢Ｐ１に復帰する。このとき、芯１２は、その先端を下キャップ１５から突出させた状態を維持するため、使用者はこの状態の筆記具１を使用して筆記が可能となる。
【００３９】
なお、芯１２を引っ込めるには、ホームポジションＰ３にあるノック部１３を、もう１度、押下して押下位置Ｐ４に配置した後、ノック部１３から指を離すことで実行することができる。この際、キャラクタ２０は、上述の芯１２を出すときと同様に、お辞儀をして前傾姿勢Ｐ２をとり、その後、前傾姿勢Ｐ２から起立姿勢Ｐ１に復帰する。
【００４０】
以上説明した筆記具１によると、
（１）ノック部１３の押下動作に伴って、キャラクタ２０がお辞儀をしつつ口を開けるので、使用者にとっては、意外性があり、大変面白い。
（２）遅延部材３３を設けることで、ノック部１３が押下位置Ｐ４に配置される直前に、突然、キャラクタ２０がお辞儀をして口を開けるので、つまり、ノック部１３の押下動作と、キャラクタ２０のお辞儀動作及び口開け動作がリニアには対応しないので、使用者にとっては一層興趣を増す。
（３）遅延部材３３を設けることで、回転芯出し機構１４の回転体１４ｂの回転に伴う「カチッ」という音の発生と、キャラクタ２０のお辞儀動作及び口開け動作とが略同じタイミングで行われるため、使用者は、「カチッ」という音と、お辞儀動作及び口開け動作との間に因果関係を想定するため、さらに、興趣を増す。すなわち、「カチッ」という音が、お辞儀動作及び口開け動作によって発生するようにも聞こえるため、視覚と聴覚とが関連付けられて、非常に楽しいものとなる。
（４）昇降ロッド３１と揺動アーム３２とによる簡単な構成の連動機構３０により、ノック部１３の動作と、キャラクタ２０のお辞儀動作及び口開け動作とを連動させることができる。
＜実施形態２＞
【００４１】
図５〜図８を参照して、本発明を適用した実施形態２に係る筆記具２について説明する。ここで、図５は、起立姿勢Ｐ１のキャラクタ４０を示す図であり、（Ａ）は正面図、（Ｂ）は右側面図、（Ｃ）は平面図である。図６は、前傾姿勢Ｐ２のキャラクタ４０を示す図であり、（Ａ）は正面図、（Ｂ）は右側面図、（Ｃ）は平面図である。図７（Ａ）は起立姿勢Ｐ１のキャラクタ４０の斜視図、（Ｂ）は前傾姿勢Ｐ２のキャラクタ４０の斜視図である。図８は、キャラクタ４０の分解斜視図である。
【００４２】
なお、上キャップ１６を含む、筆記具本体１０の構成及び作用（動作）については、上述の実施形態１と同様であるので説明は省略する。また、キャラクタ４０を前傾させたり起立させたりするための連動機構３０についても、実施形態１と同様、昇降ロッド３１と揺動アーム３２とを有して構成されているので説明は省略する。以下では、実施形態１の筆記具１とは異なる点を主に説明する。
【００４３】
本実施形態においては、キャラクタ４０は、ノック部１３（図２，図３参照）の押下動作に対応して、胴部４１及び頭部４２を傾斜させてお辞儀をしつつ、耳部４１ｉを傾斜させることで、表情を変更するようにしている。
【００４４】
筆記具２のキャラクタ４０は、上キャップ１６の上半部に形成された脚部２３と、脚部２３によって揺動可能に支持された胴部４１と、胴部４１によって回転可能に支持された胴部４２とを有している。
【００４５】
胴部４１は、図８に示すように、前胴部４１ａと後胴部４１ｂとを合わせ面４１ｃで合わせて構成されており、前胴部４１ａには、上端部の左側及び右側のそれぞれに外側に向けて突出された、実施形態１と同様の軸２１ｈが設けてある。この軸２１ｈは、頭部４２を回転自在に支持する。さらに、軸２１ｈのそれぞれの外端部には、耳部４１ｉが設けられている。つまり、頭部４２の一部を構成する耳部４１ｉが、胴部４１と一体に構成されている。耳部４１ｉは、大きな円板状に形成されていて、軸２１ｈの外端部に略垂直に形成されている。
【００４６】
頭部４２は、前頭部４２ａと後頭部４２ｂとを合わせ面４２ｃで合わせて構成されている。頭部４２は、実施形態１と同様の第１軸受孔２２ｆ，第２軸受孔２２ｇを有しており、また、前頭部４２ａには、目部２２ｈが形成されている。
【００４７】
本実施形態によれば、キャラクタ４０は、ノック部１３の押下動作に伴って、胴部４１及び頭部４２を起立姿勢Ｐ１から前傾姿勢Ｐ２に前傾させてお辞儀をするとともに、頭部４２に対して耳部４１ｉを傾斜させて表情を変化させることができる。すなわち、上述の実施形態１では、ノック部１３の押下動作に伴って、キャラクタ２０は、口を開けることで表情を変化させていたが、本実施形態２では、これに代えて、キャラクタ４０は、耳部４１ｉを傾斜させることで表情を変化させている。他の動作（作用）及び効果については、実施形態１と同様である。
＜実施形態３＞
【００４８】
図９〜図１２を参照して、本発明を適用した実施形態３に係る筆記具３について説明する。ここで、図９は、起立姿勢Ｐ１のキャラクタ５０を示す図であり、（Ａ）は正面図、（Ｂ）は右側面図、（Ｃ）は平面図である。図１０は、前傾姿勢Ｐ２のキャラクタ５０を示す図であり、（Ａ）は正面図、（Ｂ）は右側面図、（Ｃ）は平面図である。図１１（Ａ）は起立姿勢Ｐ１のキャラクタ５０の斜視図、（Ｂ）は前傾姿勢Ｐ２のキャラクタ５０の斜視図である。図１２は、キャラクタ５０の分解斜視図である。
【００４９】
なお、上キャップ１６を含む、筆記具本体１０の構成及び作用（動作）については、上述の実施形態１と同様であるので説明は省略する。また、キャラクタ５０を前傾させたり起立させたりするための連動機構３０についても、実施形態１と同様、昇降ロッド３１と揺動アーム３２とを有して構成されているので説明は省略する。以下では、実施形態１の筆記具１とは異なる点を主に説明する。
【００５０】
本実施形態においては、キャラクタ５０は、ノック部１３（図２，図３参照）の押下動作に対応して、胴部５１及び頭部５２を傾斜させてお辞儀をしつつ、目部５１ｊ，５１ｋの図柄を変化させることで、表情を変更するようにしている。
【００５１】
筆記具３のキャラクタ５０は、上キャップ１６の上半部に形成された脚部２３と、脚部２３によって揺動可能に支持された胴部５１と、胴部５１によって回転可能に支持された胴部５２とを有している。胴部５１は、図１２に示すように、前胴部５１ａと後胴部５１ｂとを合わせ面５１ｃで合わせて構成されており、前胴部５１ａには、上端部の左側及び右側のそれぞれに外側に向けて突出された、実施形態１と同様の軸２１ｈが設けてある。この軸２１ｈは、頭部５２を回転自在に支持する。さらに、前胴部５１ａには、それぞれ図柄の異なる目部５１ｊ，５１ｋが設けてある。
【００５２】
一方、頭部５２は、前頭部５２ａと後頭部５２ｂとを合わせ面５２ｃで合わせて構成されている。頭部５２は、実施形態１と同様の第１軸受孔２２ｆ，第２軸受孔２２ｇを有しており、また、前頭部５２ａには、目に対応する部位にそれぞれ独立した２つの透孔５２ｈが設けてある。
【００５３】
本実施形態によれば、キャラクタ５０は、ノック部１３の押下動作に伴って、透孔５２ｈを通して見える目部５１ｊ，５１ｋを変更する。すなわち、ノック部１３のホームポジションＰ３に対応してキャラクタ５０が起立姿勢Ｐ１をとったときには、図９に示すように、透孔５２ｈを通して、一方の図柄の目部５２ｋが見え、また、ノック部１３の押下位置Ｐ４に対応してキャラクタ５０が前傾姿勢Ｐ１をとったときには、図１０に示すように、透孔５２ｈを通して、他方の図柄の目部５２ｊが見えるようになっている。
【００５４】
上述の実施形態１では、ノック部１３の押下動作に伴って、キャラクタ２０は、口を開けることで表情を変化させていたが、本実施形態３では、これに代えて、キャラクタ５０は、透孔５２ｈを通して見える目部５１ｊ，５１ｋを変更することで表情を変化させている。他の動作（作用）及び効果については、実施形態１と同様である。
【符号の説明】
【００５５】
１  実施形態１の筆記具
２  実施形態２の筆記具
３  実施形態３の筆記具
１０  筆記具本体
１１  外筒
１２  芯
１３  ノック部
１４  回転芯出し機構
１４ｂ  回転体
１６ａ  軸（第１揺動中心）
１６ｃ  ピン（第２揺動中心）
２０  実施形態１のキャラクタ
２１  胴部
２１ｇ  口部
２１ｈ  軸（回転中心）
２２  頭部
２２ｇ  第２軸受部（オフセット部）
２３  脚部
３０  連動機構
３１  昇降ロッド
３２  揺動アーム
４０  実施形態２のキャラクタ
４１  胴部
４１ｉ  耳部
４２  頭部
５０  実施形態３のキャラクタ
５１  胴部
５２  頭部
５２ｈ  透孔
５１ｊ，５２ｋ  目部
【図１】
0005559607.tif 000002
【図２】
0005559607.tif 000003
【図３】
0005559607.tif 000004
【図４】
0005559607.tif 000005
【図５】
0005559607.tif 000006
【図６】
0005559607.tif 000007
【図７】
0005559607.tif 000008
【図８】
0005559607.tif 000009
【図９】
0005559607.tif 000010
【図１０】
0005559607.tif 000011
【図１１】
0005559607.tif 000012
【図１２】
0005559607.tif 000013